(57)【要約】【課題】防水性を向上させた防水コネクタを提供する。【解決手段】コネクタハウジング１１の後面にあるゴム栓収容部１３の当て面１３Ａには、キャビティ１２の後部開口端を開口するとともに、全ての後部開口端を一括して取り囲むように内面側防水リブ１４を突設する。そして、ゴム栓収容部１３には、コネクタハウジング１１に装着されるゴム栓押え４０により、一括ゴム栓３０を後方から当て面１３Ａに圧接状態で保持する。ゴム栓収容部１３の当て面１３Ａに設けられた内面側防水リブ１４により、一括ゴム栓３０の側縁部を通過して、当て面１３Ａと一括ゴム栓３０の前面との間からキャビティ１２へ水が浸入することを防止でき、防水コネクタ１０の防水性を向上できる。【選択図】　図２
2004039584.tif 000002
【特許請求の範囲】
【請求項１】
電線の端末に接続された端子金具を挿入可能なキャビティが複数個列設されるとともに、その後面に前記キャビティの後部開口端が開口されたコネクタハウジングを備えた防水コネクタであって、
前記電線を密着状に貫通させる貫通孔を各キャビティと対応した位置ごとに設けた一括ゴム栓をゴム栓押えにより前記コネクタハウジングの後面に圧接してなり、前記ゴム栓押えには前記電線を挿通可能な開口部が開口されているものにおいて、
前記コネクタハウジングの後面と前記一括ゴム栓の前面との少なくともいずれか一方には内面側防水リブが突設されており、前記一括ゴム栓が前記コネクタハウジングの後面に圧接された時に、前記内面側防水リブが、前記コネクタハウジングの後面と前記一括ゴム栓の前面とのいずれか他方に対して圧接されることにより、前記一括ゴム栓の側縁部を外方から内方へ向けて通過し前記後部開口端に至る浸水経路を遮断可能とされていることを特徴とする防水コネクタ。
【請求項２】
前記一括ゴム栓の後面と前記ゴム栓押えの前面との少なくともいずれか一方には外面側防水リブが突設されており、前記一括ゴム栓が前記コネクタハウジングの後面に圧接された時に、前記外面側防水リブが、前記一括ゴム栓の後面と前記ゴム栓押えの前面とのいずれか他方に対して圧接されることにより、前記開口部から前記一括ゴム栓の側縁部へ至る浸水経路を遮断可能とされていることを特徴とする請求項１記載の防水コネクタ。
【請求項３】
前記内面側防水リブと前記外面側防水リブとの少なくともいずれか一方が、前記後部開口端に対応する領域を一括して取り囲むように設けられていることを特徴とする請求項１または請求項２記載の防水コネクタ。
【請求項４】
前記内面側防水リブと前記外面側防水リブとの少なくともいずれか一方が、前記後部開口端に対応する領域を個別に取り囲むように設けられていることを特徴とする請求項１または請求項２記載の防水コネクタ。
【請求項５】
前記コネクタハウジングの後面には、前記キャビティの後部開口端が開口して前記一括ゴム栓を収容可能なゴム栓収容部が設けられるとともに、前記一括ゴム栓の側面には、前記ゴム栓収容部の内側面と水密状に当接可能なシールリップが全周にわたって設けられていることを特徴とする請求項１ないし請求項４記載の防水コネクタ。
【発明の詳細な説明】
【０００１】
【発明の属する技術分野】
本発明は、防水コネクタに関する。
【０００２】
【従来の技術】
従来、多極の防水コネクタとしては、特開平１０−２１９８９号公報に記載されたものが知られている。このものは、図９の符号１で示されるように、ハウジング２に端子金具３を個々に収容可能なキャビティ４が複数個整列されて形成されている。そして、ハウジング２の後面には、複数のキャビティ４への水の浸入を一括して防止する一括ゴム栓５がゴム栓収容孔６に嵌着され、さらにその後面からゴム栓押え７により一括ゴム栓５がぬけ止め状態に保持された構造となっている。この防水コネクタ１は、ゴム栓収容孔６の内側面であるシール面８に一括ゴム栓５を密着させることにより防水シールを取るようになっている。
【０００３】
【発明が解決しようとする課題】
ところが、この種の防水コネクタ１を多極化させるためにハウジング２を大型化すると、ゴム栓収容孔６の幅も大きくなり、シール面８が長くなる。このため、シール面８が製造時にたわんで、一括ゴム栓５とシール面８との間の防水性が得られない場合があった。
本発明は上記のような事情に基づいて完成されたものであって、防水性を向上させた防水コネクタを提供することを目的とする。
【０００４】
【課題を解決するための手段】
上記の目的を達成するための手段として、請求項１の発明は、電線の端末に接続された端子金具を挿入可能なキャビティが複数個列設されるとともに、その後面に前記キャビティの後部開口端が開口されたコネクタハウジングを備えた防水コネクタであって、前記電線を密着状に貫通させる貫通孔を各キャビティと対応した位置ごとに設けた一括ゴム栓をゴム栓押えにより前記コネクタハウジングの後面に圧接してなり、前記ゴム栓押えには前記電線を挿通可能な開口部が開口されているものにおいて、前記コネクタハウジングの後面と前記一括ゴム栓の前面との少なくともいずれか一方には内面側防水リブが突設されており、前記一括ゴム栓が前記コネクタハウジングの後面に圧接された時に、前記内面側防水リブが、前記コネクタハウジングの後面と前記一括ゴム栓の前面とのいずれか他方に対して圧接されることにより、前記一括ゴム栓の側縁部を外方から内方へ向けて通過し前記後部開口端に至る浸水経路を遮断可能とされている構成としたところに特徴を有する。
【０００５】
請求項２の発明は、請求項１に記載のものにおいて、前記一括ゴム栓の後面と前記ゴム栓押えの前面との少なくともいずれか一方には外面側防水リブが突設されており、前記一括ゴム栓が前記コネクタハウジングの後面に圧接された時に、前記外面側防水リブが、前記一括ゴム栓の後面と前記ゴム栓押えの前面とのいずれか他方に対して圧接されることにより、前記開口部から前記一括ゴム栓の側縁部へ至る浸水経路を遮断可能とされているところに特徴を有する。
【０００６】
請求項３の発明は、請求項１または請求項２に記載のものにおいて、前記内面側防水リブと前記外面側防水リブとの少なくともいずれか一方が、前記後部開口端に対応する領域を一括して取り囲むように設けられているところに特徴を有する。
【０００７】
請求項４の発明は、請求項１または請求項２に記載のものにおいて、前記内面側防水リブと前記外面側防水リブとの少なくともいずれか一方が、前記後部開口端に対応する領域を個別に取り囲むように設けられているところに特徴を有する。
【０００８】
請求項５の発明は、請求項１ないし請求項４のいずれかに記載のものにおいて、前記コネクタハウジングの後面には、前記キャビティの後部開口端が開口して前記一括ゴム栓を収容可能なゴム栓収容部が設けられるとともに、前記一括ゴム栓の側面には、前記ゴム栓収容部の内側面と水密状に当接可能なシールリップが全周にわたって設けられているところに特徴を有する。
【０００９】
【発明の作用及び効果】
＜請求項１の発明＞
内面側防水リブがコネクタハウジングの後面と一括ゴム栓の前面との間で圧接されることにより、一括ゴム栓の側縁部を外方から内方へ通過しキャビティの後部開口端に至る浸水経路を遮断でき、キャビティへ水が浸入することを防止できる。
通常の一括ゴム栓のごとく、その側縁部で防水を行う場合には、一括ゴム栓の側縁部と密着する面に前述したように、コネクタが多極化に伴ってたわみ、防水が不十分となる場合があるが、このように、コネクタハウジングの後面と一括ゴム栓の前面との間で防水することにより、たわみの影響を受けることがなくなる。
【００１０】
＜請求項２の発明＞
外面側防水リブが一括ゴム栓の後面とゴム栓押えの前面との間で圧接されることにより、ゴム栓押えに設けられた開口部から一括ゴム栓の側縁部に至る浸水経路を遮断できる。これにより、水が開口部から浸入して一括ゴム栓の側縁部を通過し、後部開口端に至ってキャビティに浸入することを防止できる。このように、後面側でも防水が可能となるから、コネクタの防水性がさらに向上する。
【００１１】
＜請求項３及び請求項４の発明＞
防水リブがキャビティを一括して、または個別にキャビティの後部開口端に対応する領域を取り囲むように設けられている。よって、一括あるいは個別にキャビティへの防水を取ることができる。
＜請求項５の発明＞
一括ゴム栓の側面でも防水シールが可能となるから、防水コネクタの防水性がさらに向上する。
【００１２】
【発明の実施の形態】
以下、本発明の実施形態を図１ないし図８に基づいて説明する。
＜第１実施形態＞
本発明の第１実施形態を図１ないし図４によって説明する。
図１において、符号１１は防水コネクタのコネクタハウジングであり、図示しない相手側コネクタと嵌合可能とされている。なお、以下では図１の右奥側を前方として説明する。
【００１３】
図２及び図４に示される防水コネクタ１０は、合成樹脂により箱状に形成されたコネクタハウジング１１を備えている。コネクタハウジング１１の内部には、図１に示されるように、キャビティ１２が４段４列に並んで形成されている。各キャビティ１２は、コネクタハウジング１１を前後方向に貫通しており、電線２０を圧着した図示しない端子金具を後方より挿通して内部に収容することができるようになっている。端子金具は、防水コネクタ１０が相手側コネクタと嵌合したときに、相手側コネクタの端子金具と電気的に接続可能とされている。コネクタハウジング１１の後部には、角筒状のゴム栓収容部１３が延設され、その内部に一括ゴム栓３０を収容可能とされている。ゴム栓収容部１３の奥面である当て面１３Ａ（コネクタハウジング１１の後面）には、キャビティ１２の後部開口端が開口されている。そして、当て面１３Ａの周縁部には、全てのキャビティ１２の後部開口端を連続的、かつ、一括して取り囲むように内面側防水リブ１４が、後方に突出して設けられている。なお、図１、図２、図４では内面側防水リブ１４の断面を方形状としたが、内面側防水リブ１４の断面は半円状、三角状などとすることができる。
【００１４】
一括ゴム栓３０は、合成ゴムなどによりゴム栓収容部１３に適合して嵌合される形状とされ、一括ゴム栓３０の前面がゴム栓収容部１３の当て面１３Ａに当接可能とされている。一括ゴム栓３０のコネクタハウジング１１に設けられたキャビティ１２それぞれに対応する位置には、前後に貫通する貫通孔３１が設けられており、電線２０を圧着した端子金具を挿通可能とされている。貫通孔３１の孔壁には、それぞれにリング状のリップ３２が前後に３つ等しい間隔で設けられており、リップ３２は挿通された電線２０に緊密に密着し、電線２０と貫通孔３１との間の防水が可能とされている。一括ゴム栓３０の側面には、周方向に一周するリング状のシールリップ３３が前後に３つ等しい間隔で形成されている。ゴム栓収容部１３にシールリップ３３を弾縮させつつ挿入することにより、一括ゴム栓３０とゴム栓収容部１３の内側面との間の防水が可能とされている。
【００１５】
ゴム栓収容部１３には、ゴム栓押え４０が後方から装着可能とされている（図４参照）。ゴム栓押え４０は、図３に示すように、コネクタハウジング１１のゴム栓収容部１３に外側から嵌合可能なキャップ状に形成され、ゴム栓押え４０の一括ゴム栓３０の後面と対向する面が、一括ゴム栓３０の押え面４１とされている。押え面４１には、一括ゴム栓３０の貫通孔３１に対応する位置、すなわちキャビティ１２に対応する位置にそれぞれ本発明の開口部に対応する挿通孔４２が開口されている。挿通孔４２は、電線２０を圧着した端子金具を後方から挿通可能とされている。
押え面４１の周縁部には、全挿通孔４２を連続、且つ、一括して取り囲むようにして外面側防水リブ４３が突設されている。なお、本実施形態では外面側防水リブ４３は、ゴム栓押え４０がコネクタハウジング１１に取り付けられた状態で、内面側防水リブ１４と同じ大きさ、同じ形状で対応した位置となるように設けられている。
【００１６】
ゴム栓押え４０の取付構造は以下のようである。ゴム栓押え４０の開口部の対向する前縁から、矩形をなす一対の係止片４４が前方に延設されている。係止片４４は拡開変形可能とされ、係止片４４には、矩形の係止孔４５が係止片４４の対向方向に貫通して開口されている。コネクタハウジング１１の側面には、係止片４４の係止孔４５を係止可能な一対の係止突起１５が突設されている。係止突起１５の後縁は係止片４４を拡開変形させるためのテーパー状をなすガイド面１５Ａとされ、前面は切り立って係止面となっている。ゴム栓押え４０は、係止突起１５に係止孔４５が係止した状態で、押え面４１が一括ゴム栓３０の後面を押圧することにより、一括ゴム栓３０をコネクタハウジング１１に対して圧接する設定とされている。
【００１７】
次に、防水コネクタ１０の組立について説明する。図２の矢線Ａのように、コネクタハウジング１１のゴム栓収容部１３に一括ゴム栓３０を押込む。このとき、一括ゴム栓３０の周囲に設けられたシールリップ３３がゴム栓収容部１３の内側面に圧縮されながら、一括ゴム栓３０がゴム栓収容部１３に押込まれ、一括ゴム栓３０の側面とゴム栓収容部１３の内側面との間の防水シールが取られる（図４参照）。一括ゴム栓３０がゴム栓収容部１３に奥側まで押込まれると、一括ゴム栓３０の前面がゴム栓収容部１３の内面側防水リブ１４と当接する。なお、貫通孔３１はそれぞれ、対応するキャビティ１２と同一線上に並ぶようになっている。
【００１８】
次に、一括ゴム栓３０を装着したコネクタハウジング１１に、ゴム栓押え４０を後方から取り付ける（図２の矢線Ｂ参照）。すなわち、ゴム栓押え４０をゴム栓収容部１３に外側から嵌合すると、ゴム栓押え４０の係止片４４に開口された係止孔４５が、コネクタハウジング１１の係止突起１５に嵌合され、ゴム栓押え４０がコネクタハウジング１１に係止される。このとき、一括ゴム栓３０が、ゴム栓押え４０によりゴム栓収容部１３に圧接状態で取り付けられる。
【００１９】
続いて、コネクタハウジング１１には、後方から電線２０を圧着した端子金具が装着される。端子金具は、ゴム栓押え４０の挿通孔４２に通された後、貫通孔３１に通され、コネクタハウジング１１のキャビティ１２に挿入される（図４参照）。端子金具が正規状態で装着されると、貫通孔３１の内部では、各リップ３２が電線２０の被覆に圧接されて、貫通孔３１と電線２０との間の防水シールが取られる。
【００２０】
最後に防水シールについて説明する。防水シールを行うべき浸水経路としては、次の３つの経路が考えられる。第１の浸水経路は、ゴム栓押え４０の挿通孔４２から浸入し、貫通孔３１を通過してキャビティ１２の後部開口端に至る経路である。第２の浸水経路は、ゴム栓押え４０とゴム栓収容部１３との隙間から浸入し、ゴム栓収容部１３の内面側へ回り込んで、一括ゴム栓３０の前面と当て面１３Ａとの間を通過してキャビティ１２の後部開口端に至る経路である。そして、第３の浸水経路は、挿通孔４２から浸入し、ゴム栓押え４０の押え面４１と一括ゴム栓３０の後面との間、一括ゴム栓３０の側面とゴム栓収容部１３の内側面との間、及び一括ゴム栓３０と当て面１３Ａとの間を通過して後部開口端に至る経路である。
【００２１】
第１の浸水経路については、上で述べたように電線２０と貫通孔３１との防水シールが取られている。第２、及び第３の浸水経路については、次のようにして防水が取られている。すなわち、ゴム栓押え４０により、一括ゴム栓３０を後方からコネクタハウジング１１に対して圧接すると、外面側防水リブ４３が内面側防水リブ１４とともに、一括ゴム栓３０に食い込むようにして圧接される。これにより、一括ゴム栓３０の前面、及び後面での防水が取られている。また、一括ゴム栓３０の側縁部でも、前に述べたように、ゴム栓収容部１３の内側面との間で防水が取られている。
【００２２】
ところで、第２及び第３の浸水経路では、防水コネクタ１０の多極化に伴い、ゴム栓収容部１３の内側面と一括ゴム栓３０のシールリップ３３との間に隙間ができることが懸念されるが、本実施形態によれば、共通の浸水経路である一括ゴム栓３０の前面とゴム栓収容部１３の当て面１３Ａの間において防水が取られているから、一括ゴム栓３０の側縁部のシールの良否に拘わらず、確実に防水され、防水コネクタ１０の防水性が確保される。
【００２３】
なお、本実施形態では、一括ゴム栓３０の前後で防水するための内面側防水リブ１４及び外面側防水リブ４３が、キャビティ１２の後端縁または挿通孔４２を一括して取り囲む形状であるから、コネクタハウジング１１及びゴム栓押え４０を形成するための金型の構造が簡易となって金型の製造コストを低減できるとともに、コネクタハウジング１１及びゴム栓押え４０の成形が容易となる。
【００２４】
＜第２実施形態＞
次に、本発明の第２実施形態を図５ないし図８によって説明する。
この第２実施形態では、ゴム栓収容部１３の当て面１３Ａには、内面側防水リブ１４Ａがキャビティ１２の後部開口端ごと個別に設けられ、ゴム栓押え４０の押え面４１にはキャビティ１２の後部開口端に対応する挿通孔４２ごと個別に外面側防水リブ４３Ａが設けられている。
その他の構造は第１実施形態と同様であり、同一機能を有する部位については同一符号を付すことで重複した説明は省略する。
【００２５】
第２実施形態においても、前に述べた第２及び第３の浸水経路が、キャビティ１２の後部開口端ごと、または挿通孔４２ごとに防水される。すなわち、内面側防水リブ１４Ａがゴム栓収容部１３の当て面１３Ａと一括ゴム栓３０の前面との間で圧接されることにより、第２及び第３の浸水経路である一括ゴム栓３０の側縁部を外方から内方に通過してキャビティ１２へ後部開口端に至る浸水経路を遮断でき、キャビティ１２ごと個別に水が浸入することを防止できる。また、外面側防水リブ４３Ａにより、挿通孔４２ごと個別に、第３の浸水経路であるゴム栓押え４０の挿通孔４２から一括ゴム栓３０の側縁部に至る浸水経路を遮断できる。
【００２６】
特に、本実施形態では、外面側防水リブ４３Ａが挿通孔４２それぞれを個別に取り囲むように設けてある。これにより、ゴム栓押え４０の押え面４１には挿通孔４２と同数の外面側防水リブ４３Ａが並ぶことになる。従って、押え面４１は、外面側防水リブ４３Ａにより補強され、その変形が防止されるから、一括ゴム栓３０の後面と押え面４１との間の防水がより確実となる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、内面側防水リブ１４、１４Ａをゴム栓収容部１３の当て面１３Ａに設け、外面側防水リブ４３、４３Ａをゴム栓押え４０の押え面４１に設けた例を示したが、本発明によれば、内面側防水リブ１４、１４Ａを一括ゴム栓３０の前面に設けてもよく、また外面側防水リブ４３、４３Ａを一括ゴム栓３０の後面に設けてもよい。また、内面側防水リブ１４、１４Ａをゴム栓収容部１３の当て面１３Ａと、一括ゴム栓３０の前面との両方に設けても良く、外面側防水リブ４３、４３Ａを一括ゴム栓３０の後面とゴム栓押え４０の前面との両方に設けてもよい。
【００２８】
（２）上記実施形態では、内面側防水リブ１４、１４Ａと外面側防水リブ４３、４３Ａとの双方を設けた防水コネクタ１０について示したが、本発明によれば、少なくとも内面側防水リブ１４、１４Ａを一括ゴム栓３０の前面と当て面１３Ａとの間に有するものであればよい。前に述べた第２及び第３の浸水経路に共通している一括ゴム栓３０の前面と当て面１３Ａとの間を防水すれば、キャビティ１２への浸水を防止することができるからである。従って、一括ゴム栓３０の側面とゴム栓収容部１３の内側面との間で防水しない構成とすることもできる。
【００２９】
（３）上記実施形態では、外面側防水リブ４３、４３Ａを内面側防水リブ１４、１４Ａと、同じ大きさ、同じ形状で、対応する位置に設けた例について示したが、外面側防水リブ４３、４３Ａは、大きさ、形状、及び位置の少なくともいずれか一つについて内面側防水リブ１４、１４Ａと異なっていてもよい。例えば、内面側防水リブ１４、１４Ａをキャビティ１２の後部開口端を一括して取り囲む形状とし、外面側防水リブ４３、４３Ａを挿通孔４２ごとに個別に取り囲む形状とすることができる。また、内面側防水リブ１４、１４Ａと、外面側防水リブ４３、４３Ａとを、逆の形状としてもよい。
【００３０】
（４）上記実施形態では、ゴム栓押え４０をコネクタハウジング１１と別体に形成し、装着する構成としたが、一体に形成してもよい。例えば、ゴム栓押え４０をゴム栓収容部１３の開口縁部に薄肉状としたヒンジ部を介して一体に形成し、回動操作によりゴム栓押え４０をゴム栓収容部１３に装着する構成とすることができる。
【００３１】
（５）上記実施形態では、内面側防水リブ１４、１４Ａ及び外面側防水リブ４３、４３Ａを一重とした例について示したが、二重以上としてもよい。
（６）上記実施形態では、挿通孔４２は個別に電線２０を挿通するものであったが、複数の電線２０を一括して通すものとしてもよい。
（７）上記実施形態では、キャビティ１２を個別に、あるいは、全てのキャビティ１２を一括して取り囲むように内面側防水リブ１４を設けて防水した例について示したが、キャビティ１２を複数のブロックに分け、ブロックごとに取り囲むようにして内面側防水リブ１４を設け、ブロックごとに防水してもよい。外面側防水リブ４３も同様である。
【図面の簡単な説明】
【図１】本発明の第１実施形態に係る防水コネクタのコネクタハウジングの切欠斜視図
【図２】その防水コネクタを組み立てる前の状態を示す部分側断面図
【図３】そのゴム栓押えの切欠斜視図
【図４】その防水コネクタを組み立てた状態の部分側断面図
【図５】本発明の第２実施形態に係る防水コネクタのコネクタハウジングの切欠斜視図
【図６】その防水コネクタを組み立てる前の状態を示す部分側断面図
【図７】そのゴム栓押えの切欠斜視図
【図８】その防水コネクタを組み立てた状態の部分側断面図
【図９】従来の防水コネクタの側断面図
【符号の説明】
１０…防水コネクタ
１１…コネクタハウジング
１２…キャビティ
１３…ゴム栓収容部
１３Ａ…当て面（コネクタハウジングの後面）
１４、１４Ａ…内面側防水リブ
２０…電線
３０…一括ゴム栓
３１…貫通孔
３３…シールリップ
４０…ゴム栓押え
４３、４３Ａ…外面側防水リブ
【図１】
2004039584.tif 000003
【図２】
2004039584.tif 000004
【図３】
2004039584.tif 000005
【図４】
2004039584.tif 000006
【図５】
2004039584.tif 000007
【図６】
2004039584.tif 000008
【図７】
2004039584.tif 000009
【図８】
2004039584.tif 000010
【図９】
2004039584.tif 000011